(57)【要約】【課題】トレイに収納した用紙の画像形成に関わる設定情報を容易かつ的確に入力、参照できるようにすること。【解決手段】本発明は、トレイ１０に収納された用紙を搬送し、画像を形成して出力するデジタル複写機１から成る画像形成装置において、トレイ１０に収納される用紙の画像形成に関わる設定情報をトレイ１０に対応させて記憶する記憶部と、記憶部に記憶された設定情報を表示するディスプレイ２０から成る表示部と、ディスプレイ２０に表示する内容の指示および設定情報の入力を受け付けるキー操作部２２等の入力部とを備えており、記憶部が、設定情報の各パラメータに対する設定値をテーブルとして保持し、ディスプレイ２０が、キー操作部２２等で受け付けた指示に基づきテーブルの一覧表示を行うものである。【選択図】図１
2005266062.tif 000002
【特許請求の範囲】
【請求項１】
トレイに収納された用紙を搬送し、画像を形成して出力する画像形成装置において、
前記トレイに収納される用紙の画像形成に関わる設定情報を前記トレイに対応させて記憶する記憶部と、
前記記憶部に記憶された前記設定情報を表示する表示部と、
前記表示部に表示する内容の指示および前記設定情報の入力を受け付ける入力部とを備えており、
前記記憶部は、前記設定情報の各パラメータに対する設定値をテーブルとして保持し、
前記表示部は、前記入力部で受け付けた指示に基づき前記テーブルの一覧表示を行う
ことを特徴とする画像形成装置。
【請求項２】
前記表示部は、前記入力部で受け付けた指示に基づき前記一覧表示から選択されたパラメータの表示を行う
ことを特徴とする請求項１記載の画像形成装置。
【請求項３】
前記表示部は、前記入力部で受け付けた入力に基づき前記パラメータの変更後の設定値を表示する
ことを特徴とする請求項１記載の画像形成装置。
【請求項４】
前記表示部は、前記入力部で受け付けた指示に基づき前記一覧表示から選択されたパラメータの選択可能な設定値をボタン表示する
ことを特徴とする請求項１記載の画像形成装置。
【請求項５】
前記表示部は、前記各パラメータに対する設定値の予め設定された初期値を一括入力するための初期値入力ボタンを表示する
ことを特徴とする請求項１記載の画像形成装置。
【請求項６】
前記表示部は、前記各パラメータに対する設定値を表示する画面で、その設定値で前記用紙に対する画像形成の試し印刷を行うための確認印刷ボタンを表示する
ことを特徴とする請求項１記載の画像形成装置。
【請求項７】
前記表示部は、前記一覧表示、前記各パラメータの表示、前記設定値の表示を階層的に行う
ことを特徴とする請求項１記載の画像形成装置。
【請求項８】
前記各パラメータに対する設定値を外部のネットワークを介して取得する外部通信部を備えており、
前記記憶部は、前記外部通信部で取得した前記各パラメータに対する設定値を前記テーブルとして保持する
ことを特徴とする請求項１記載の画像形成装置。
【請求項９】
前記各パラメータのうち１つは前記用紙の単位面積当たりの重さである
ことを特徴とする請求項１記載の画像形成装置。
【請求項１０】
前記各パラメータのうち１つは前記用紙の表面コートの有無である
ことを特徴とする請求項１記載の画像形成装置。
【請求項１１】
前記各パラメータのうち１つは前記用紙の画像形成時の位置補正量である
ことを特徴とする請求項１記載の画像形成装置。
【発明の詳細な説明】
【技術分野】
【０００１】
本発明は、トレイに収納された用紙を搬送し、画像を形成して出力する、主としてデジタル複写機から成る画像形成装置に関する。
【背景技術】
【０００２】
従来、デジタル複写機等の画像形成装置において、ユーザーがトレイに用紙を収納し、そのトレイに収納した用紙を用いて画像形成を行う場合、予めトレイに収納した用紙の画像形成に関わる設定を行う必要がある。つまり、画像形成装置は所定のトレイに収納された用紙がどのような種類のものかといった情報を得ることで、その用紙を用いた画像形成の条件を最適なものに調整している。
【０００３】
例えば、用紙を収納するトレイには、用紙の重さや紙質を設定するための機械的なスイッチが設けられており、ユーザーはトレイに用紙を収納する際にはこのスイッチの切り換えによって紙種の設定を行っている。また、機械的なスイッチのほか、画像形成の条件として用いるために画面を参照して紙種等の設定を行う（例えば、特許文献１、２参照。）。
【０００４】
【特許文献１】特開平１０−３２６１６７号公報
【特許文献２】特開２００１−１６６６４１号公報
【発明の開示】
【発明が解決しようとする課題】
【０００５】
しかしながら、従来の画像形成装置においてトレイに収納した用紙の画像形成に関わる設定情報を入力する場合、予め設定された値から別な値に変更したいときや、ユーザーの好みに合った値を設定する場合に非常に煩雑な操作が必要となる。すなわち、予め設定された値を選択するのは容易にできるものの、この値とは異なる値を設定したい場合には機械管理者が管理者モードにおいて直接値を入力しなければならず、また設定した値を確認するための画面表示もないため、設定に多くの時間を必要としたり、設定ミスによる用紙搬送トラブルや画質不良といった不具合を引き起こしやすいという問題がある。
【課題を解決するための手段】
【０００６】
本発明はこのような課題を解決するために成されたものである。すなわち、本発明は、トレイに収納された用紙を搬送し、画像を形成して出力する画像形成装置において、トレイに収納される用紙の画像形成に関わる設定情報をトレイに対応させて記憶する記憶部と、記憶部に記憶された設定情報を表示する表示部と、表示部に表示する内容の指示および設定情報の入力を受け付ける入力部とを備えており、記憶部が、設定情報の各パラメータに対する設定値をテーブルとして保持し、表示部が、入力部で受け付けた指示に基づきテーブルの一覧表示を行うものである。
【０００７】
このような本発明では、トレイに収納する用紙の画像形成に関わる設定情報をテーブルとして記憶しており、表示部でこのテーブルの一覧表示を行うことから、用紙の設定情報をユーザーが参照しやすくなるとともに、この表示を参照した設定変更を容易に行うことができるようになる。
【発明の効果】
【０００８】
したがって、本発明によれば、用紙の画像形成に関わる設定情報をユーザーが容易に行うことが可能となり、設定ミスによる用紙搬送トラブルや画質不良の発生を抑制することが可能となる。
【発明を実施するための最良の形態】
【０００９】
以下、本発明の実施の形態を図に基づき説明する。図１は、本実施形態に係る画像形成装置であるデジタル複写機の外観図である。すなわち、デジタル複写機１は、トレイ１０に収納された用紙を所定経路に沿って搬送し、機器内部の画像形成部で用紙に画像を転写して出力するものである。デジタル複写機１には画像形成の条件等を入出力するディスプレイ２０が設けられており、ユーザーはディスプレイ２０の表示パネル２１に表示された内容を参照し、表示パネル２１に設けられたタッチパネルを押下したり、表示パネル２１の横に設けられたキー操作部２２を選択して所望の設定や画像形成指示を与える。
【００１０】
本実施形態では、トレイ１０に収納される用紙の画像形成に関わる設定情報をユーザーが容易に入力したり、的確に参照できるユーザーインタフェースに特徴がある。このユーザーインタフェースを実現するディスプレイ２０は、図２に示すようなハードウェア構成となっている。
【００１１】
ユーザーインタフェースのハードウェア構成（UI/HW）は、ユーザーインタフェース用基板（UI PWBA）にＬＣＤ（液晶表示装置）から成る表示パネル２１およびコントロールパネル（CONTROL PANEL）、タッチパネル（TOUCH PANEL）から成るキー操作部２２が接続され、ユーザーインタフェース用基板（UI PWBA）に搭載されるＣＰＵによって制御される。
【００１２】
また、ユーザーインタフェース用基板（UI PWBA）には、画像入出力コントローラ部（ARTOP）、画像制御用集積回路（ASIC）、作業用記憶部（WORK RAM）、制御用記憶部（CONTROL RAM）、フレームロム（FRAME ROM）が搭載されている。
【００１３】
本実施形態では、このようなユーザーインタフェース構成において、ユーザーがトレイ１０に所望の用紙を収納した際に行う用紙に関する各種の設定を容易かつ的確に行うことができるようになっている。つまり、トレイ１０に収納した用紙の画像形成に関わる設定情報は多岐にわたっており、これを入力するため従来の画像形成装置では特別な操作を行わなければならないという問題がある。特にデジタル複写機１では、普通紙のほかに表面コート紙やＯＨＰシートといった特殊な用紙を取り扱うことができるため、セットする用紙の種類に応じて種々の画像形成パラメータを最適な値に設定しておく必要がある。本実施形態では、このような種々の設定情報の各パラメータに対する設定値をテーブルとして保持し、表示パネル２１にこのテーブルの一覧表示を行って、ユーザーが容易に設定情報の入力を行うことができるようになっている。
【００１４】
具体的には、用紙に関する設定情報の入力や確認を行うため、表示パネル２１にはテーブルの一覧や各パラメータおよび各パラメータに対する設定値などが階層的に表示され、選択可能なパラメータや設定値がボタンによって表示される。これにより、ユーザーは煩雑な設定情報を容易に確認できるとともに、所望の設定値を簡単に入力できるようになる。
【００１５】
図３は、本実施形態の画像形成装置における表示パネルへの階層的な画面表示の構成を説明する図である。ユーザーによる用紙別の設定は「ユーザー紙種設定」機能と呼ばれ、各トレイ毎にユニークな「ユーザー紙種」の設定ができるようになっている。
【００１６】
「ユーザー紙種」は予め登録済みのプロファイルの一覧表示から自由に選択でき、設定値を変更することで、ユーザーが所望する最適の紙種設定にすることができる。本実施形態では、１０個のプロファイルを持つ画面システムを提案しているが、プロファイルの個数は、変更することもできる。このプロファイル郡は、印刷システムの製品化時の初期設定として、準備することもできる。
【００１７】
また、一部のプロファイルのみを設定値変更を禁止とする固定的なプロファイルに設定することもできる。プロファイルの詳細設定値の変更については、初期設定のプロファイルをテンプレートとして利用するという画面構成により簡易な設定手順となる。
【００１８】
「ユーザー紙種設定」として設定できる項目は、印刷システムの用紙制御設定値である、用紙パラメータに関する設定郡（図３の左側破線枠参照）とトレイのアライメント補正パラメータに関する設定郡（図３の右側破線枠参照）に大別できる。個々の設定郡は、それぞれ、詳細のパラメータを持つ。
【００１９】
画面の操作方法は、先ず、「機械管理者画面」Ｇ１（図４参照）から、「ユーザー紙種の設定」のメニューボタンを 選択し、「ユーザー紙種の設定画面」Ｇ２（図５参照）を表示させる。       この「ユーザー紙種の設定画面」Ｇ２では、トレイ毎の用紙スイッチ設定を行い、トレイに割当てる。ユーザー紙種のプロファイルを選択する場合には、「ユーザー紙種の割当て」メニューボタンを選択して、「ユーザー紙種の詳細設定画面」Ｇ３（図６参照）を表示させる。     この「ユーザー紙種の詳細設定画面」Ｇ３では、“ユーザー紙種１”〜“ユーザー紙種１０”までの１０個のプロファイルから、使用したいものを選択する。このプロファイルの番号の画面表示エリアには、用紙固有の名称（商品名）等を表示する仕様でも良い。
【００２０】
１０個のプロファイル選択ボタンの押下時には、画面右横部にある、「用紙パラメータ」と「アライメント補正」の詳細情報選択部に、選択したプロファイルの一部の情報が表示される。「用紙パラメータ」では、実際の用紙の紙種・坪量を表示し、「アライメント補正」では、アライメント補正のタイプ番号を表示する。アライメント補正のタイプ番号とは、これもまた、アライメント補正パラメータに特化したプロファイルの専用の番号である。
【００２１】
本実施形態では、詳細パラメータ郡の設定を２０個のタイプ郡をプロファイルとして持っている。この画面構成では、ユーザー紙種の１０個のプロファイル毎に、２０個のアライメント補正タイプを選択できる事になる。「用紙パラメータ」と「アライメント補正」の丸メニューボタンを選択する事により、各々の詳細設定を確認、または設定変更することができる。
【００２２】
「用紙パラメータ」の丸メニューボタンを押下した場合、「用紙パラメータの設定情報画面」Ｇ４（図７参照）が表示される。この画面では、用紙パラメータの全ての詳細設定値の設定状態の確認と設定値の変更ができる。また、この画面の各パラメータに対応するメニューボタンを押下すると、各パラメータに対応した設定画面Ｇ４１が表示される。図８は「用紙紙種のベースレンジ」の設定画面、図９は「２ｎｄ  ＢＴＢ電圧」の設定画面、図１０は「エアアシスト動作」の設定画面である。いずれもボタン操作によって各パラメータの設定値を変更できるようになっている。
【００２３】
「アライメント補正」の丸メニューボタンを押下した場合、「アライメント補正の設定画面」Ｇ５（図１１参照）が表示される。この画面では、ユーザー紙種のプロファイルに割当てるアライメント補正のタイプ番号を選択する事ができる。
【００２４】
この画面の「アライメント補正のタイプ」ボタン郡より、使用したいタイプ番号を選択する。また、詳細情報の確認/設定の丸メニューボタンを押下した場合、「アライメント補正の設定情報画面」Ｇ６（図１２参照）が表示される。なお、２ページ以上の表示では、スクロールボタンを押下することで次のページや前のページを表示できる（図１３参照）。
【００２５】
この「アライメント補正の設定情報画面」Ｇ６では、アライメント補正パラメータの全ての詳細設定値の設定状態の確認と設定値の変更ができる。また、この画面の各パラメータに対応するメニューボタンを押下すると、各パラメータに対応した設定画面Ｇ６１が表示される。図１４は「リードレジ」の設定画面である。この設定画面ではボタン操作によって各パラメータの設定値を変更できるようになっている。
【００２６】
また、各パラメータの設定画面において、「初期値に戻す」ボタンを選択した場合には、用紙パラメータやアライメント補正の設定値を予め設定された初期値に一括して戻すことができる。
【００２７】
例えば、「ユーザー紙種の詳細設定画面」Ｇ３（図６参照）と「アライメント補正の設定画面」Ｇ５（図１１参照）の各々の画面上には、「初期値に戻す」ボタンがある。このボタン選択動作では、それぞれ、“ユーザー紙種”プロファイルと“アライメント補正”プロフィルを機械の初期値設定に戻すことができる。いづれかのプロファイルボタンを選択した状態で、その「初期値に戻す」ボタンを押下した場合に、そのプロファイルの設定が全て初期化されることになる。印刷システムの用紙パラメータ、アライメント補正は、それぞれ多数の設定項目とその微調整操作が必要とされるので、このような機械の初期設定をテンプレートとした設定操作を持たせることは、ユーザの使い勝手として非常に有効である。
【００２８】
次に、各パラメータの設定値の確認について説明する。「ユーザー紙種設定」の各設定パターンの詳細パラメータは、「用紙パラメータの設定情報画面」Ｇ３（図６参照）または「アライメント補正の設定情報画面」Ｇ５（図１１参照）で参照できる。これらの画面は、「ユーザー紙種の設定画面」Ｇ２（図５参照）または「アライメント補正の設定画面」Ｇ５上の「詳細情報の確認/設定」丸メニュー選択ボタン押下により表示される。
【００２９】
これらの画面の操作方法は、画面右端の上方向と下方向のページ切り替えボタンにより、画面内のパラメータ項目をページ単位で切り替え表示する。パラメータは、１ページにつき、最大６個の項目を一覧表示できる。このパラメータの各項目の表示欄には、パラメータの名称とその設定値を表示する。そして、この表示エリアは、選択可能なボタンとなっており、ボタン選択により各々のパラメータの詳細確認/設定画面を表示する。また、画面上部の画面タイトルエリアには、表示している紙種設定の設定テーブル名称を表示しているため、どの設定テーブルの情報であるかが、容易に判別でき、操作ミス等を防ぐことが可能となる。
【００３０】
なお、上記にあげた詳細パラメータ以外にも、以下の様な設定項目を用紙パラメータ/アライメント補正の設定に含むこともできる。
（１）シャッター動作モード
（２）ヒートロール・ウオームアップ制御温度
（３）ヒーター制御温度
（４）事前ブロー回数
【００３１】
次に、詳細パラメータの設定値の修正について説明する。ユーザー紙種設定の詳細パラメータは、「詳細確認/設定画面」（図８〜図１０参照）上で、設定値の修正ができる。これらの画面郡は、「用紙パラメータの設定情報画面」Ｇ４（図７参照）または「アライメント補正の設定情報画面」Ｇ６（図１２参照）上で、各々パラメータの選択ボタン押下により表示される画面郡であり、選択したパラメータ毎に固有の画面を持ち、パラメータ選択ボタン押下時に、対応する画面が表示される。
【００３２】
画面内のテキストエリアには、詳細パラメータの名称を表示しているため、どのパラメータの情報であるかが、容易に判別でき、操作ミス等を防ぐことが可能となる。また、「用紙パラメータの設定情報画面」Ｇ４および「アライメント補正の設定情報画面」Ｇ６には「確認プリント」ボタンが設けられており、これを選択することにより、「確認プリント画面」Ｇ７（図１５参照）が表示される。この画面では、詳細パラメータの修正作業による実際の用紙制御の動作確認をすることができる。確認プリントを行う場合には、プリント出力をする枚数と“片面/両面”の選択をして、プリントを開始できる。
【００３３】
これはのパラメータ郡は、各々の設定の初期値を持っている。これらの設定値変更画面において、「初期値に戻す」のボタンを設けて、パラメータを初期値に戻す操作を持たせるようにしても良い。また、リセットボタンを設けて、これらの画面を表示した後のパラメータ値の変更値操作を全て取り消すという操作を持たせることも有効である。
【００３４】
次に、各トレイ毎に割り当てられた用紙の設定状況の確認について説明する。各トレイ毎に割当てられた用紙設定の情報は、「ユーザー紙種設定画面」Ｇ２（図５参照）を参照することで確認できる。ここには用紙紙種の設定情報やアライメント補正のタイプなど、トレイに割り当てた設定情報が表示されることになる。
【００３５】
また、「ユーザー紙種設定画面」Ｇ２以外でも、トレイの用紙設定情報を表示する画面を持つことでで、容易にユーザー紙種設定の選択状況を確認する事ができる。図１６は、デジタル複写機のディスプレイのボタン操作による表示を説明する模式図、図１７は、設定情報の確認のための画面表示例を示す模式図である。
【００３６】
ユーザーは、ディスプレイ２０のキー操作部２２に割り当てられた所定のキーの押下によって表示パネル２１への画面表示を切り換えることができる。例えば、「機械情報」キーＫ１を押下すると、図１７に示す「機械情報トレイ画面」が表示される。この画面では、用紙トレイの使用状況として、「用紙の残量」、「紙種（コート紙/非コート紙/ＯＨＰ）」、「用紙の重さ（坪量）」、「使用中トレイの状態」、「故障中トレイの状態」、「機械の外観」等の情報を表示する。また、「ジョブ管理」キーＫ２を押下すると、ジョブの確認、処理を行える画面が表示され、「機能設定」キーＫ３を押下すると、コピーに関する機能を設定できる画面が表示される。
【００３７】
また、ユーザーが、あるトレイにユーザー紙種の設定をした場合には、設定した設定テーブル名称を設定したトレイNoの「坪量」表示エリアに表示する。これにより、トレイへのユーザー紙種設定の情況を把握できる。
【００３８】
次に、上記の各画面表示の流れについて図１８〜図２４のフローチャートに沿って説明する。先ず、図１８に示すように、ユーザー紙種の設定操作の終了か否かを判断し（ステップＳ１０１）、終了の場合には決定ボタンの押下を行う（ステップＳ１０２）。終了でない場合には、ユーザー紙種設定として、セットするトレイの番号（Ｎｏ．）を選択する（ステップＳ１０３）。
【００３９】
その後、用紙トレイの坪量スイッチの選択を行い（ステップＳ１０４）、用紙トレイのコート／非コートの切り換えスイッチを切り換える（ステップＳ１０５）。次に、図１９に示すように、「ユーザ紙種の設定画面」を表示する（ステップＳ２０１）。その後、画面から用紙をセットしたトレイのボタンを選択し（ステップＳ２０２）、用紙トレイのスイッチ設定と同じ組み合わせのレンジを選択する（ステップＳ２０３）。本実施形態では、トレイの機械的なスイッチの組み合わせとレンジの選択とが合っている場合にユーザー紙種の割り当てを行うよう制御しているが、トレイにユーザ紙種設定用の個別スイッチを設けてこのスイッチの状態によってユーザー紙種の割り当てを行うよう制御してもよい。
【００４０】
次に、ユーザー紙種番号の割り当てを確認／修正するか否かの判断を行い（ステップＳ２０４）、確認／修正しない場合には決定ボタンを選択する（ステップＳ２０５）。一方、確認／修正する場合にはユーザー紙種の詳細設定メニューボタンを押下し（ステップＳ２０６）、ユーザー紙種の詳細設定画面を表示する（ステップＳ２０７）。
【００４１】
次いで、設定するプロファイル番号を選択し（ステップＳ２０８）、選択したプロファイル番号に対応する各パラメータの設定確認もしくは修正を行う。その後、選択したプロファイルの設定操作を確定するか否かの判断を行う（ステップＳ２０９）。確定する場合には決定ボタンを選択する（ステップＳ２１０）。一方、確定しない場合には図２０に示すように、選択したプロファイルの初期値設定を使用するか否かの判断を行う（ステップＳ３０１）。使用する場合には「初期値に戻す」ボタンを選択する（ステップＳ３０２）。また、選択しない場合には用紙パラメータの参照／設定をするか否かの判断を行い（ステップＳ３０３）、参照／設定する場合には用紙パラメータの詳細情報メニューボタンを押下する（ステップＳ３０４）。このボタン押下によって「ユーザー紙種の詳細設定情報画面」が表示され（ステップＳ３０５）、ここから参照／設定するパラメータを選択する（ステップＳ３０６）。
【００４２】
次に、図２１に示すように、現状の詳細パラメータの設定値の確認プリントをするか否かの判断を行い（ステップＳ４０１）、行う場合には「確認プリント」ボタンを押下する（ステップＳ４０２）。このボタン押下で「確認プリント画面」が表示され（ステップＳ４０３）、両面／片面の選択（ステップＳ４０４）、プリント枚数の選択（ステップＳ４０５）を行った後、「確認プリント」ボタンを押下する（ステップＳ４０６）。これにより、現状の詳細パラメータによる確認プリントが行われる。
【００４３】
その後、詳細パラメータの参照／設定を終了するか否かの判断を行い（ステップＳ４０７）、終了する場合には「閉じる」ボタンを押下する（ステップＳ４０７）。一方、終了しない場合には、図２０に示すステップＳ３０６へ戻る。
【００４４】
ステップＳ４０７で「閉じる」ボタンを押下すると、図２２に示すように、アライメント補正のタイプ情報の参照／設定をするか否かを判断し（ステップＳ５０１）、しない場合には「決定」ボタンを選択する（ステップＳ５０２）。一方、参照／設定を行う場合には、アライメント補正の詳細情報メニューボタンを押下する（ステップＳ５０３）。このボタン押下によって「アライメント補正の設定画面」が表示される（ステップＳ５０４）。そして、この画面表示からアライメント補正タイプの初期値設定を使用するか否かを判断し（ステップＳ５０５）、使用する場合にはアライメント補正のタイプ群の「初期値」ボタンを選択する（ステップＳ５０６）。一方、初期値設定を使用しない場合には、設定するアライメント補正タイプの番号を選択する（ステップＳ５０７）。
【００４５】
その後、選択したアライメント補正タイプの設定操作を確定するか否かの判断を行い（ステップＳ５０８）、確定する場合には「決定」ボタンを選択する（ステップＳ５０９）。一方、確定しない場合には、図２３に示すように、選択したアライメント補正タイプの初期値設定を使用するか否かを判断する（ステップＳ６０１）。ここで、初期値設定を使用する場合には「初期値に戻す」ボタンを選択する（ステップＳ６０２）。一方、初期値設定を使用しない場合には、アライメント補正のパラメータの参照／設定を行うか否かを判断し（ステップＳ６０２）、行わない場合には「決定」ボタンを選択する（ステップＳ６０３）。
【００４６】
また、参照／設定を行う場合にはアライメント補正の詳細情報メニューボタンを押下し（ステップＳ６０４）、「アライメント補正の詳細設定情報画面」を表示し（ステップＳ６０５）、ここから参照／設定するパラメータの選択を行う（ステップＳ６０６）。そして、選択したパラメータの設定値の参照もしくは修正を行った後、図２４に示すように、現状の詳細パラメータの設定値の確認プリントをするか否かの判断を行う（ステップＳ４７０１）。
【００４７】
そして、確認プリントを行う場合には「確認プリント」ボタンを押下する（ステップＳ７０２）。このボタン押下で「確認プリント画面」が表示され（ステップＳ４０３）、両面／片面の選択（ステップＳ４０４）、プリント枚数の選択（ステップＳ４０５）を行った後、「確認プリント」ボタンを押下する（ステップＳ４０６）。これにより、現状の詳細パラメータによる確認プリントが行われる。
【００４８】
一方、確認プリントを行わない場合には、アライメント補正の参照／設定を終了するか否かを判断し（ステップＳ７０３）、終了する場合には「閉じる」ボタンを押下する（ステップＳ７０３）。また、終了しない場合にはステップＳ６０６へ戻る。
【００４９】
このような画面動作によって、ユーザーは階層的な画面表示による種々のパラメータ設定を容易かつ的確に行うことが可能となる。
【００５０】
次に、外部のネットワークを介したテーブルの取得について説明する。図２５は、外部からデジタル複写機へテーブルを転送する例を示す模式図である。この例では、ネットワークを介してサーバーからダウンロード用ＰＣ（パーソナルコンピュータ）に設定ファイルをダウンロードし、例えばＲＳ２３２Ｃのようなパラレル通信規約によって設定ファイルをデジタル複写機１へ転送するようにしている。
【００５１】
つまり、ネットワークに接続されたサーバには、例えばＡ社、Ｂ社、Ｃ社…用の各設定ファイルが格納されており、必要な設定ファイルをネットワークを介してダウンロード用ＰＣに転送する。次に、ダウンロード用ＰＣをデジタル複写機１へ接続し、サーバから転送した設定ファイルをデジタル複写機１へ送る。これにより、デジタル複写機１では、設定ファイルをテーブルとして利用できるようになる。
【００５２】
図２６は、ダウンロード用ＰＣで起動するダウンロードツールの画面表示例である。すなわち、ダウンロード用ＰＣには予めサーバから設定ファイルが転送されており、これをこのダウンロードツールによってデジタル複写機１へ転送する。転送する場合には、ダウンロード用ＰＣに格納された設定ファイルの場所を指定し、「ダウンロード開始」のボタンを選択することで行う。
【００５３】
図２７は、ダウンロードの手順を説明するフローチャートである。先ず、ダウンロード用ＰＣでダウンロードツールを起動し（ステップＳ８０１）、ダウンロードファイル（設定ファイル）の選択を行う（ステップＳ８０２）。その後、選択したダウンロードファイルの設定が表示されるため（ステップＳ８０３）、この内容を確認してこのダウンロードファイルで良いか否かを判断する（ステップＳ８０４）。ファイルが異なる場合にはステップＳ８０２へ戻って再度選択を行い、ファイルが合っている場合には「ダウンロード開始」のボタンを押下する（ステップＳ８０５）。これによりダウンロードが開始され、ダウンロード後にはそのファイルに書き込まれた設定値がデジタル複写機で反映されることになる（ステップＳ８０６）。
【００５４】
なお、図２５に示すファイル転送では、ダウンロード用ＰＣを介して設定ファイルの転送を行う例を示したが、デジタル複写機１が外部のネットワークに直接接続されており、デジタル複写機１自体にサーバーからのファイルのダウンロード機能が設けられていれば、サーバーから直接ファイルをダウンロードして設定値を反映させることも可能である。
【図面の簡単な説明】
【００５５】
【図１】本実施形態に係る画像形成装置であるデジタル複写機の外観図である。
【図２】ディスプレイのハードウェア構成図である。
【図３】本実施形態の画像形成装置における表示パネルへの階層的な画面表示の構成を説明する図である。
【図４】「機械管理者画面」の例を示す模式図である。
【図５】「ユーザー紙種の設定画面」の例を示す模式図である。
【図６】「ユーザー紙種の詳細設定画面」の例を示す模式図である。
【図７】「用紙パラメータの設定情報画面」の例を示す模式図である。
【図８】「用紙紙種のベースレンジ」の設定画面の例を示す模式図である。
【図９】「２ｎｄ  ＢＴＢ電圧」の設定画面の例を示す模式図である。
【図１０】「エアアシスト動作」の設定画面の例を示す模式図である。
【図１１】「アライメント補正の設定画面」の例を示す模式図である。
【図１２】「アライメント補正の設定情報画面」の例を示す模式図である。
【図１３】次のページの画面例を示す模式図である。
【図１４】「リードレジ」の設定画面の例を示す模式図である。
【図１５】「確認プリント画面」の例を示す模式図である。
【図１６】ディスプレイのボタン操作による表示を説明する模式図である。
【図１７】設定情報の確認のための画面表示例を示す模式図である。
【図１８】画面表示の流れを説明するフローチャート（その１）である。
【図１９】画面表示の流れを説明するフローチャート（その２）である。
【図２０】画面表示の流れを説明するフローチャート（その３）である。
【図２１】画面表示の流れを説明するフローチャート（その４）である。
【図２２】画面表示の流れを説明するフローチャート（その５）である。
【図２３】画面表示の流れを説明するフローチャート（その６）である。
【図２４】画面表示の流れを説明するフローチャート（その７）である。
【図２５】ネットワークを介したテーブルの転送を説明する模式図である。
【図２６】ダウンロードツールの画面表示例を示す模式図である。
【図２７】ダウンロードの手順を説明するフローチャートである。
【符号の説明】
【００５６】
１…デジタル複写機、１０…トレイ、２０…ディスプレイ、２１…表示パネル、２２…キー操作部
【図１】
2005266062.tif 000003
【図２】
2005266062.tif 000004
【図３】
2005266062.tif 000005
【図４】
2005266062.tif 000006
【図５】
2005266062.tif 000007
【図６】
2005266062.tif 000008
【図７】
2005266062.tif 000009
【図８】
2005266062.tif 000010
【図９】
2005266062.tif 000011
【図１０】
2005266062.tif 000012
【図１１】
2005266062.tif 000013
【図１２】
2005266062.tif 000014
【図１３】
2005266062.tif 000015
【図１４】
2005266062.tif 000016
【図１５】
2005266062.tif 000017
【図１６】
2005266062.tif 000018
【図１７】
2005266062.tif 000019
【図１８】
2005266062.tif 000020
【図１９】
2005266062.tif 000021
【図２０】
2005266062.tif 000022
【図２１】
2005266062.tif 000023
【図２２】
2005266062.tif 000024
【図２３】
2005266062.tif 000025
【図２４】
2005266062.tif 000026
【図２５】
2005266062.tif 000027
【図２６】
2005266062.tif 000028
【図２７】
2005266062.tif 000029